(57)【要約】【課題】認証用媒体を用いて認証するユーザの利便性を向上させた情報処理装置及びその制御方法、並びにプログラムを提供する。【解決手段】画像処理装置１００は、省電力状態において、センサ系モジュール２１により、ＩＣカード２４が接近したことが検知されたときには、通信系モジュール１７、及び主要回路要素２４０に電力を供給する通常電力状態に移行するように電源制御部２１８が供給する電力の供給先を制御する。そして、センサ系モジュール２１への電力の供給を遮断するように電源制御部２１８が供給する電力の供給先を制御する。【選択図】図８
2013161409.tif 000002
【特許請求の範囲】
【請求項１】
ユーザを認証するための認証用媒体から認証情報を取得する取得手段と、
前記認証用媒体が前記取得手段に接近したことを検知する近接検知手段と、
前記取得手段により取得された認証情報を用いて前記ユーザを認証する認証手段と、
前記取得手段と前記近接検知手段と前記認証手段とに電力を供給する電力供給手段と、
前記近接検知手段に電力を供給し、前記取得手段、及び前記認証手段への電力の供給を遮断する省電力状態に移行するように前記電力供給手段が供給する電力の供給先を制御する省電力制御手段と、
前記省電力制御手段により移行された前記省電力状態において、前記近接検知手段により、前記認証用媒体が接近したことが検知されたときに、前記取得手段、及び前記認証手段に電力を供給する通常電力状態に移行するように前記電力供給手段が供給する電力の供給先を制御する電力復帰制御手段と
を備えたことを特徴とする情報処理装置。
【請求項２】
前記ユーザに対して情報を表示する表示手段をさらに備え、
前記省電力制御手段により移行された前記省電力状態において、前記近接検知手段により、前記認証用媒体が接近したことが検知されたときに、前記認証用媒体を用いた認証動作を促す内容を表示するように前記表示手段を制御する表示制御手段をさらに備えたことを特徴とする請求項１記載の情報処理装置。
【請求項３】
前記電力復帰制御手段は、前記近接検知手段への電力の供給を遮断するように前記電力供給手段が供給する電力の供給先を制御することを特徴とする請求項１または請求項２記載の情報処理装置。
【請求項４】
前記省電力制御手段は、前記認証用媒体が接近したことが検知されたことによって前記電力復帰制御手段により前記通常電力状態に移行した場合は、前記認証用媒体が接近したことが検知されたことによって前記電力復帰制御手段により前記通常電力状態に移行していない場合と比較して、短い時間で前記省電力状態に移行させることを特徴とする請求項１乃至請求項３のいずれか１項に記載の情報処理装置。
【請求項５】
ユーザを認証するための認証用媒体から認証情報を取得する取得手段と、前記認証用媒体が前記取得手段に接近したことを検知する近接検知手段と、前記取得手段により取得された認証情報を用いて前記ユーザを認証する認証手段と、前記取得手段と前記近接検知手段と前記認証手段とに電力を供給する電力供給手段とを備えた情報処理装置の制御方法であって、
前記近接検知手段に電力を供給し、前記取得手段、及び前記認証手段への電力の供給を遮断する省電力状態に移行するように前記電力供給手段を制御が供給する電力の供給先を省電力制御ステップと、
前記省電力制御ステップにより移行された前記省電力状態において、前記近接検知手段により、前記認証用媒体が接近したことが検知されたときに、前記取得手段、及び前記認証手段に電力を供給する通常電力状態に移行するように前記電力供給手段が供給する電力の供給先を制御する電力復帰制御ステップと
を備えたことを特徴とする制御方法。
【請求項６】
ユーザを認証するための認証用媒体から認証情報を取得する取得手段と、前記認証用媒体が前記取得手段に接近したことを検知する近接検知手段と、前記取得手段により取得された認証情報を用いて前記ユーザを認証する認証手段と、前記取得手段と前記近接検知手段と前記認証手段とに電力を供給する電力供給手段とを備えた情報処理装置の制御方法をコンピュータに実行させるためのプログラムであって、
前記制御方法は、
前記近接検知手段に電力を供給し、前記取得手段、及び前記認証手段への電力の供給を遮断する省電力状態に移行するように前記電力供給手段を制御する省電力制御ステップと、
前記省電力制御ステップにより移行された前記省電力状態において、前記近接検知手段により、前記認証用媒体が接近したことが検知されたときに、前記取得手段、及び前記認証手段に電力を供給する通常電力状態に移行するように前記電力供給手段が供給する電力の供給先を制御する電力復帰制御ステップと
を備えたことを特徴とするプログラム。 
【発明の詳細な説明】
【技術分野】
【０００１】
本発明は、情報処理装置及びその制御方法、並びにプログラムに関する。
【背景技術】
【０００２】
近年、セキュリティに対する意識の高まりにより、オフィスに置かれるプリンタや複合機などの画像処理装置の使用において、ユーザ認証により、画像処理装置の使用を許可された人に対してのみプリンタや複合機の機能を提供することが求められている。
【０００３】
また、環境に対する意識の高まりから、画像処理装置が動作していない非動作状態における消費電力を低減する要求が高まっている。
【０００４】
その要求への対策として、画像処理装置が非動作状態のときに、画像処理装置を制御する主制御部への電力供給を通常より低減または遮断して画像処理装置の消費電力を低減した省電力モードを実現する技術が知られている。
【０００５】
このように消費電力を低減が求められる一方で、前述のユーザ認証を行うためには、認証処理のために動作する部分には電力を供給し続けておく必要がある。つまり、認証処理のために動作する必要のある部分には電力を供給し続けておき、認証処理に関係ない部分への電力供給を遮断することによって、ユーザ認証を可能としながら画像処理装置の消費電力を低減することが考えられる。
【０００６】
こうした技術に関連して、省電力モードで動作中の画像処理装置に対して、ユーザがＩＣカードなどを用いてユーザ認証を行うと、省電力モード状態の画像処理装置はユーザの認証処理を行える上に、通常の電力モード状態へと復帰するという技術が開示されている（特許文献１参照）。
【先行技術文献】
【特許文献】
【０００７】
【特許文献１】特開２００９−２８８９７１号公報
【発明の概要】
【発明が解決しようとする課題】
【０００８】
しかしながら、特許文献１に開示された技術では、認証処理のために動作する部分に電力を供給し続け、省電力モードの動作中のままで認証処理を行うため、消費電力の削減効率は必ずしもよいとは言えない。
【０００９】
これは、省電力モード状態においても、ユーザのアカウント情報を記憶しておく記憶領域を有効にしておき、さらにアカウント情報との照合処理などを行う必要もあり、認証処理のために動作する部分が消費する電力は決して小さくないためである。
【００１０】
また、画像処理装置とネットワークを介して接続する外部のサーバを用いて認証処理を行うシステムも一般的に存在するが、サーバを用いて認証をするためには、画像処理装置は省電力モードのままでサーバと通信を行う必要があり、やはり消費電力が大きくなる。
【００１１】
そこで、ユーザの指示により省電力モードから通常電力モードへの復帰後、認証処理のために動作する部分への電力の供給を開始して、直ちにユーザ認証が行える状態になることが望ましい。
【００１２】
一般に、画像処理装置はユーザに意識させることなく、自律的に省電力モードに移行する。そして、ユーザには画像処理装置が省電力モード状態で待機しているのか、通常電力モードで待機しているのかの判別はつきにくい。
【００１３】
画像処理装置が省電力モードであることにユーザが気づいていない状態で、ユーザが認証用媒体であるＩＣカードなどを用いてユーザ認証を行った場合は、画像処理装置は省電力モードから通常モードへの復帰もせず、ユーザ認証も行わない。
【００１４】
従って、ユーザは画像処理装置の省電力モードからの復帰操作を行った後に、あらためてＩＣカードなどを用いたユーザ認証を行う必要があるため、ユーザの利便性を損なう。
【００１５】
本発明の目的は、認証用媒体を用いて認証するユーザの利便性を向上させた情報処理装置及びその制御方法、並びにプログラムを提供することにある。
【課題を解決するための手段】
【００１６】
上記目的を達成するために、請求項１の情報処理装置は、ユーザを認証するための認証用媒体から認証情報を取得する取得手段と、前記認証用媒体が前記取得手段に接近したことを検知する近接検知手段と、前記取得手段により取得された認証情報を用いて前記ユーザを認証する認証手段と、前記取得手段と前記近接手段と前記認証手段とに電力を供給する電力供給手段と、前記近接検知手段に電力を供給し、前記取得手段、及び前記認証手段への電力の供給を遮断する省電力状態に移行するように前記電力供給手段が供給する電力の供給先を制御する省電力制御手段と、前記省電力制御手段により移行された前記省電力状態において、前記近接検知手段により、前記認証用媒体が接近したことが検知されたときに、前記取得手段、及び前記認証手段に電力を供給する通常電力状態に移行するように前記電力供給手段が供給する電力の供給先を制御する電力復帰制御手段とを備えたことを特徴とする。
【発明の効果】
【００１７】
本発明によれば、認証用媒体を用いて認証するユーザの利便性を向上させた情報処理装置及びその制御方法、並びにプログラムを提供することができる。
【図面の簡単な説明】
【００１８】
【図１】本発明の実施の形態に係る画像処理装置を含むシステムの概略構成を示す図である。
【図２】図１におけるメインコントローラの概略構成を示す図である。
【図３】図２における操作部、及びカードリーダの外観例を示す図である。
【図４】図３におけるカードリーダの概略構成を示す図である。
【図５】図４におけるカードリーダ内部構成を示す図であり、（Ａ）はカードリーダの透過図であり、（Ｂ）はカードリーダの側面の断面図である。
【図６】図３における液晶操作パネルの画面表示例を示す図である。
【図７】省電力モード移行処理の手順を示すフローチャートである。
【図８】通常電力モード復帰処理の手順を示すフローチャートである。
【図９】ＣＰＵにより実行される省電力モード再移行開始処理の手順を示すフローチャートである。
【発明を実施するための形態】
【００１９】
以下、本発明の実施の形態について図面を参照しながら詳述する。
【００２０】
図１は、本発明の実施の形態に係る情報処理装置としての画像処理装置１００を含むシステムの概略構成を示す図である。
【００２１】
図１において、画像処理装置１００は、メインコントローラ１０１、操作部１０２、カードリーダ１０８、スキャナ１０３、及びプリンタ１０４を備える。
【００２２】
メインコントローラ１０１は、画像処理装置１００全体を制御し、その構成については後述する。操作部１０２は、ユーザインタフェースである。カードリーダ１０８は、ユーザ認証装置である。スキャナ１０３は、画像入力デバイスである。プリンタ１０４は、画像出力デバイスである。
【００２３】
操作部１０２、スキャナ１０３及びプリンタ１０４は、それぞれメインコントローラ１０１に接続され、メインコントローラ１０１からの指示によって制御される。さらにメインコントローラ１０１は、ＬＡＮ（Local Area Network）１０６に接続され、ＬＡＮ１０６上のＰＣ１０５などと接続される。
【００２４】
上述した構成により、画像処理装置１００は画像の入出力、送受信、及び各種の画像処理などを行う。
【００２５】
図２は、図１におけるメインコントローラ１０１の概略構成を示す図である。
【００２６】
図２に示されるメインコントローラ１０１は、接続するスキャナ１０３やプリンタ１０４を制御する一方で、ＬＡＮ１０６や公衆回線と接続される。そして、ＬＡＮ１０６や公衆回線を介して、外部機器との間で画像情報やデバイス情報、及びファイル等の入出力を行う。
【００２７】
メインコントローラ１０１は、ＣＰＵ（Central processing Unit）２０１を備える。ＣＰＵ２０１は、システムバス２０７を介して、ＲＡＭ（Random Access Memory）２０２、ＲＯＭ（Read Only Memory）２０３、Ｆｌａｓｈ２０４、及びイメージバスインタフェース２０５と接続される。
【００２８】
さらに、ＣＰＵ２０１は、操作部インタフェース２０６、ＬＡＮインタフェース２０８、モデム部２０９、ＲＴＣ２２５（Real Time Clock）、ＨＤＤ２１７、及びカードリーダインタフェース２２６と接続される。
【００２９】
ＲＡＭ２０２は、ＣＰＵ２０１の作業領域を提供するための随時読み書き可能なメモリである。ＲＡＭ２０２は、画像データを一時記憶するための画像メモリとしても使用される。
【００３０】
ＲＯＭ２０３は、ブートＲＯＭであり、システムのブートプログラムが記憶される。Ｆｌａｓｈ２０４は不揮発性メモリであり、画像処理装置１００の電源遮断後にも保持が必要なシステムソフトウェアや設定値データ等が記憶される。
【００３１】
ＨＤＤ（Hard Disk Drive）２１７は、不揮発なデータ記憶装置であり、画像データ、アドレス帳データ、ジョブログ及びユーザのアカウント情報や個別データ等の各種データが記憶される。なお、メインコントローラ１０１が、ＨＤＤ２１７を接続しない構成をとる場合は、前述の各種データはＦｌａｓｈ２０４に記憶されるものとする。
【００３２】
操作部インタフェース２０６は、操作部１０２との間で入出力を行うためのインタフェースである。操作部インタフェース２０６は、操作部１０２に対して表示すべき画像データを出力し、また、ユーザが操作部１０２を介して入力した情報を、ＣＰＵ２０１に伝送するために使用される。
【００３３】
カードリーダインタフェース２２６は、ユーザ認証用のカードリーダ１０８から入力された認証データ（認証情報）をＣＰＵ２０１に伝送するために使用される。
【００３４】
ＬＡＮインタフェース２０８は、ＬＡＮ１０６と接続するためのインタフェースであり、ＬＡＮ１０６に対して情報の入出力を行う。モデム部２０９は、公衆回線と接続するためのインタフェースであり、公衆回線に対して情報の入出力を行う。ＲＴＣ２２５は、現在の時刻を管理する。
【００３５】
イメージバスインタフェース２０５は、システムバス２０７と画像データを高速で転送する画像バス２１０とを接続するインタフェースであり、データ構造を変換するバスブリッジとして動作する。
【００３６】
画像バス２１０には、ＲＩＰ（Raster Image Processor）２１１、デバイスインタフェース２１２、スキャナ画像処理部２１３、プリンタ画像処理部２１４、画像回転部２１５、及び画像圧縮部２１６が接続される。
【００３７】
ＲＩＰ２１１は、ＬＡＮ１０６から受信したＰＤＬ（Page Description Language）データをビットマップイメージに展開する。デバイスインタフェース２１２は、スキャナ１０３及びプリンタ１０４とメインコントローラ１０１とを接続するインタフェースであり、画像データの同期系／非同期系の変換を行う。
【００３８】
スキャナ画像処理部２１３は、スキャナ１０３から読み込んだ入力画像データに対して、補正、加工、編集等の処理を行う。プリンタ画像処理部２１４は、プリンタ１０４へ出力するプリント出力画像データに対して、色変換、フィルタ処理、解像度変換等の処理を行う。画像回転部２１５は、画像データの回転を行う。
【００３９】
画像圧縮部２１６は、多値画像データに対してはＪＰＥＧ圧縮伸長処理を行い、２値画像データに対してはＪＢＩＧ、ＭＭＲ、ＭＨなどの圧縮伸長処理を行う。
【００４０】
電源制御部２１８は、電源装置２１９から電力供給ライン２２０を介して受容したＤＣ電源を、電力供給ライン２２１，２２２を介してメインコントローラ１０１の所定の回路要素に供給する。
【００４１】
電源制御部２１８は、電力供給ライン２２２が接続される後述する省電力動作群から制御信号線２２３を介して受信した制御信号及びＣＰＵ２０１から制御信号線２２４を介して受信した制御信号に基づいて電力供給ライン２２１、２２２の電力供給制御を行う。
【００４２】
電力供給ライン２２１は、ＣＰＵ２０１、ＲＯＭ２０３、Ｆｌａｓｈ２０４、イメージバスインタフェース２０５、及びＨＤＤ２１７に接続される。さらに、電力供給ライン２２１は、ＲＩＰ２１１、デバイスインタフェース２１２、スキャナ画像処理部２１３、プリンタ画像処理部２１４、画像回転部２１５及び画像圧縮部２１６に接続される。
【００４３】
これら電力供給ライン２２１により電力が供給されるデバイスをまとめて主要回路要素２４０と表現する。この主要回路要素２４０は、認証情報を用いてユーザを認証する認証手段に対応する。従って、電源制御部２１８は、センサ系モジュール２１と通信系モジュール１７と主要回路要素２４０とに電力を供給する電力供給手段に対応する。
【００４４】
電力供給ライン２２２は、ＲＡＭ２０２、操作部インタフェース２０６、カードリーダインタフェース２２６、ＬＡＮインタフェース２０８、モデム部２０９及びＲＴＣ２２５に接続される。
【００４５】
また、操作部インタフェース２０６は操作部１０２への電力供給を行い、カードリーダインタフェース２２６はカードリーダ１０８への電力供給を行う。
【００４６】
これら電力供給ライン２２１により電力が供給されるデバイスをまとめて省電力動作群２５０と表現する。
【００４７】
上述したメインコントローラ１０１の構成において、画像処理装置１００は、装置の稼動状態に応じて電力状態の異なる通常電力モード（通常電力状態）と省電力モード（省電力状態）の２つの電力モードを備える。
【００４８】
通常電力モード及び省電力モードの両方において、電源装置２１９は、電力供給ライン２２０を介して電源制御部２１８に電力供給する。
【００４９】
通常電力モードでは、ＣＰＵ２０１は電力供給ライン２２１及び電力供給ライン２２２に対する電力供給が有効となるように電源制御部２１８が供給する電力の供給先を制御する。
【００５０】
一方、省電力モードでは、ＣＰＵ２０１は、電力供給ライン２２１の電力供給が無効となるように電源制御部２１８が供給する電力の供給先を制御する。省電力モードでは、さらに、電力供給ライン２２２の電力供給が有効となるように電源制御部２１８が供給する電力の供給先を制御する。
【００５１】
このとき、主要回路要素２４０に対する電力供給は遮断される。つまり、省電力モード時には省電力動作群２５０のデバイスのみが動作する。さらに、電源装置２１９はＲＡＭ２０２に対して電力を供給するため、ＲＡＭ２０２はセルフリフレッシュ動作によりシステムプログラムをバックアップしつつ低消費電力の状態となる。
【００５２】
その結果、省電力モードでは、通常電力モードと比較して画像処理装置１００の消費電力を大幅に低減することができる。そして、ユーザによる復帰指示操作が操作部１０２で入力された場合や、後述するカードリーダによるカード検知がされた場合などに、電源制御部２１８を制御して省電力モードから通常電力モードへと復帰する。
【００５３】
以上説明したように、本実施の形態においては、通常電力モードでは主要回路要素２４０、及び省電力動作群２５０に電力が供給される。一方、省電力モードでは、主要回路要素２４０に電力は供給されず、省電力動作群２５０に電力が供給される。
【００５４】
なお、本実施の形態における省電力モードでは、ＣＰＵ２０１に対する電力供給は遮断されるものとしたが、これに限るものではない。例えば、他の形態として、ＣＰＵ２０１に対する電力供給を通常電力モードより低減させ、ＣＰＵ２０１の動作周波数を下げた状態を省電力モードとしてもよい。
【００５５】
図３は、図２における操作部１０２、及びカードリーダ１０８の外観例を示す図である。
【００５６】
図３において、操作部１０２は、液晶操作パネル１１、スタートキー１２、ストップキー１３、及びハードキー群１４を備える。
【００５７】
ユーザに対して情報を表示する表示手段としての液晶操作パネル１１は、液晶とタッチパネルを組み合わせたものであり、操作画面を表示するとともに、表示キーがユーザにより押されるとその情報を読み取る。液晶操作パネル１１の表示画面上には、画像処理装置１００の操作メニューを表示してユーザの操作を促し、機器の動作状態や、用紙、トナーといった消耗品の残量などの機器情報を表示する。
【００５８】
スタートキー１２は、原稿画像の読み取り印刷の動作を開始するときや、その他の機能の開始指示に用いられる。ストップキー１３は稼動中の動作の停止指示に用いられる。
【００５９】
ハードキー群１４には、テンキー、クリアキー、リセットキー、メニューキー、ステータスキーが設けられ、数字の入力、クリア、リセット、各種の情報表示の指示などに用いられる。
【００６０】
節電キー１５は、前述のように画像処理装置１００の省電力モードへの移行、または通常電力モードへの復帰指示をユーザから入力されるために用いられる。
【００６１】
カードリーダ１０８は、ユーザを認証するための認証用媒体であるＩＣカードからＩＣカード内に記憶されている情報を非接触で読み取ることのできる読み取り装置である。カードリーダ１０８の上面にユーザがＩＣカードかざすことによって読み取りが行われる。このユーザがＩＣカードかざすことを、以下の説明ではタッチ動作と表現することがある。
【００６２】
ＩＣカードに記憶されている情報としては、画像処理装置１００を使用するユーザのアカウント情報などがある。そして、カードリーダ１０８によって読み取られたアカウント情報とＨＤＤ２１７に予め記憶されているユーザのアカウント情報とをＣＰＵ２０１が照合することによりユーザ認証を終える。
【００６３】
画像処理装置１００は、このユーザ認証により、ユーザの使用を制限することが可能であり、照合されたアカウント情報が画像処理装置１００の使用を許可されているユーザの場合には使用可能な状態となる。
【００６４】
なお、本実施の形態では、ＨＤＤ２１７に記憶されているユーザのアカウント情報を用いて認証を行ったが、他の形態として、ＬＡＮ１０６を介して接続する図示しないサーバがユーザのアカウント情報を記憶しておき、サーバが認証を行ってもよい。
【００６５】
また、図３に示されるように、操作部１０２、及びカードリーダ１０８は、ユーザがカードリーダ１０８にＩＣカードかざした場合に、ユーザが液晶操作パネル１１に表示されている内容を確認できるように配置されている。
【００６６】
図４は、図３におけるカードリーダ１０８の概略構成を示す図である。
【００６７】
図４において、カードリーダ１０８は、インタフェース部１６、通信制御部１８、復調器１９、コイル状のアンテナ２０、信号処理部２２、センサ部２３を備える。
【００６８】
本実施の形態では、通信制御部１８、及び復調器１９をまとめて通信系モジュール１７と表現する。また、信号処理部２２、及びセンサ部２３をまとめてセンサ系モジュール２１と表現する。上記通信系モジュール１７は、ユーザを認証するためのＩＣカードから認証情報を取得する取得手段に対応する。また、ＩＣカードが通信系モジュール１７に接近したことを検知する近接検知手段に対応する。
【００６９】
アンテナ２０は、図４に示すＩＣカード２４が接近した場合に、ＩＣカード２４から発信された電磁波を受信する。ＩＣカード２４から発信される電磁波は、例えば、ＩＣカード２４に記憶されている画像処理装置１００のユーザのアカウント情報が変調されて発信される電磁波である。
【００７０】
復調器１９はアンテナ２０が受信した電磁波を復調してデジタルのデータに変換し、通信制御部１８へと送る。通信制御部１８は復調器１９とインタフェース部１６の制御を行い、復調器１９で復調されたデータを受信してインタフェース部１６へと送る。
【００７１】
インタフェース部１６は、メインコントローラ１０１のカードリーダインタフェース２２６と接続され、カードリーダ１０８とメインコントローラ１０１との通信データのやり取りを行う。
【００７２】
つまり、カードリーダ１０８において、ＩＣカード２４から読み取った後に復調器１９で復調されたデータは、画像処理装置１００のユーザ認証データとして、メインコントローラ１０１へと送られる。
【００７３】
センサ部２３は、近づいた物体を非接触で検出可能な近接センサである。本実施の形態においてはセンサ部２３の一例として、透過光量や反射光の変化を検知する光センサによる構成であるが、必ずしも光センサによる構成には限らない。画像処理装置１００が設置される環境に応じて物体の接近を非接触で検知可能な近接センサであればよい。
【００７４】
近接センサの例として、磁場の変化や電磁誘導による磁界の発生を検知する磁界検知センサ、電磁波を検知する電磁波検知センサが挙げられる。さらに、電界の分布を検知する電界検知センサ、超音波の反射を検知する超音波センサ、熱源からの赤外線放射を検知する赤外線センサなどが近接センサの例として挙げられる。
【００７５】
上述したカードリーダ１０８の構成において、ＩＣカード２４を用いた認証のために、ユーザがＩＣカード２４をカードリーダ１０８に近づけたときに、センサ部２３が接近を検知する。
【００７６】
画像処理装置１００が省電力モードのときに、信号処理部２２はセンサ部２３の検知信号を受信して、省電力モードから通常電力モードに復帰するための制御信号を、インタフェース部１６を介してメインコントローラ１０１へと送る。
【００７７】
また、画像処理装置１００が省電力モードのときには、消費電力を低減するためにインタフェース部１６は通信系モジュール１７への電力供給を遮断する。
【００７８】
従って、画像処理装置１００が省電力モードのときには、通信系モジュール１７の通信処理は行われず、センサ系モジュール２１の動作による通常電力モードへの復帰処理のみが有効な機能となる。
【００７９】
また、画像処理装置１００が省電力モードのときのみセンサ系モジュール２１の近接検知機能が有効であればよく、通常電力モードのときは、近接検知機能は無効であってもよい。
【００８０】
図５は、図４におけるカードリーダ１０８の内部構成を示す図であり、（Ａ）はカードリーダ１０８の透過図であり、（Ｂ）はカードリーダ１０８の側面の断面図である。
【００８１】
図５において、インタフェース部１６、通信系モジュール１７、アンテナ２０、センサ系モジュール２１の位置関係が示されている。
【００８２】
図５（Ａ）に示されるように、カードリーダ１０８には、ＩＣカードのタッチ動作を促す表記があり、ユーザにはＩＣカード２４をその表記の箇所に近づけることが期待される。
【００８３】
従って、ＩＣカード２４の発する電磁波を受信しやすいように、アンテナ２０はカードリーダ１０８のタッチ動作を促す表記の下部に配置される。さらに、センサ系モジュール２１はアンテナ２０の近傍であって、干渉しない位置に配置される。
【００８４】
さらに、センサ系モジュール２１のセンサ部２３は、ユーザによるＩＣカード２４のタッチ動作による接近を検知しやすいように、ユーザと対向する画像処理装置１００の前面側に位置する。
【００８５】
前述のように、画像処理装置１００が省電力モードであるときには、通信系モジュール１７の通信処理は行われないため、ユーザのＩＣカード２４のタッチ動作によるユーザ認証も行われない。
【００８６】
そこで、アンテナ２０、及びセンサ系モジュール２１を同図に示されるように配置することで、省電力モード中の画像処理装置１００に対してユーザがタッチ動作をしたときに、センサ部２３がユーザのタッチ動作が検知される。この検知により、通常電力モードへと復帰させることができる。
【００８７】
このとき、画像処理装置１００の操作部１０２には、図６に示すような画面を表示してユーザ認証のためのタッチ動作をユーザに促す。この図６は、図３における液晶操作パネル１１の画面表示例を示す図である。
【００８８】
このように、画像処理装置１００の省電力モードから通常電力モードへの復帰処理とユーザ認証処理を、ユーザはタッチ動作のみで一貫して指示できるため、ユーザの利便性を高めることができる。
【００８９】
なお、従来の技術では、画像処理装置１００が省電力モードであることをユーザが意識せずにタッチ動作したときに、ユーザ認証がされなかったことから、ユーザは省電力モード中であることに初めて気づく。
【００９０】
そして、ユーザは前述の節電キー１５の操作により、画像処理装置１００を省電力モードから復帰させた後、あらためてカードリーダ１０８にタッチ動作することとなる。
【００９１】
本実施の形態によれば、このような煩わしい動作をユーザに強いることを防止することができる。
【００９２】
さらに、サーバが認証を行うシステムの場合であっても、画像処理装置１００は省電力モードから通常電力モードへの復帰に必要な部位にのみ電力を供給しておくだけでよいので、省電力モード時の消費電力の低減を実現できる。
【００９３】
図７は、省電力モード移行処理の手順を示すフローチャートである。
【００９４】
図７に示されるフローチャートは、ＲＯＭ２０３に格納されたプログラムに従って、ＣＰＵ２０１が電源制御部２１８の電力の供給先を制御し、電源制御部２１８がカードリーダインタフェース２２６を介してカードリーダ１０８を制御することによって実現される。
【００９５】
画像処理装置１００は、操作部１０２の節電キー１５のユーザによる押下や、画像処理装置１００がある一定の時間内に印刷などの動作をしなかった場合に、消費電力を低減するために通常電力モードから省電力モードへの移行を開始する。
【００９６】
図７において、ＣＰＵ２０１は、電源制御部２１８によるメインコントローラ１０１の省電力化制御を行う（ステップＳ７０１）。具体的には、電力供給ライン２２１の電力供給が無効となるように電源制御部２１８が供給する電力の供給先を制御する。また、電力供給ライン２２２の電力供給が有効となるように電源制御部２１８が供給する電力の供給先を制御する。
【００９７】
次に、電源制御部２１８は、ＲＡＭ２０２を通常動作からセルフリフレッシュ動作に移行させ、システムプログラムをバックアップしつつ低消費電力の状態とする。
【００９８】
次いで、電源制御部２１８は、カードリーダインタフェース２２６を介して、カードリーダ１０８のセンサ系モジュール２１の近接検知機能を有効化し（ステップＳ７０２）、本処理を終了する。
【００９９】
このステップＳ７０２により、センサ部２３のカード認証のためのタッチ動作の近接検知機能が有効となり、信号処理部２２の画像処理装置１００が通常電力モードに復帰するための制御信号通知が有効となる。
【０１００】
上記ステップＳ７０１、７０２は、センサ系モジュール２１に電力を供給し、通信系モジュール１７、及び主要回路要素２４０への電力の供給を遮断する省電力状態に移行するように電源制御部２１８が供給する電力の供給先を制御する省電力制御手段に対応する。
【０１０１】
以上説明した省電力モード移行処理により、画像処理装置１００の消費電力を低減する低消費電力モードへの移行を完了し、センサ系モジュール２１の近接検知機能によって、画像処理装置１００が通常電力モードに復帰可能な状態となる。
【０１０２】
図８は、通常電力モード復帰処理の手順を示すフローチャートである。
【０１０３】
図８に示されるフローチャートは、カードリーダ１０８のセンサ系モジュール２１の動作が定められたシーケンサに従って、電源制御部２１８が電力を供給する供給先を制御することによって実現される。
【０１０４】
また、電源制御部２１８により電力供給ライン２２１の電力供給が有効化された後は、ＲＯＭ２０３に格納されたプログラムに従って、メインコントローラ１０１のＣＰＵ２０１が操作部１０２を制御することによって実現される。
【０１０５】
図８において、カードリーダ１０８のセンサ部２３がユーザのタッチ動作による接近を検知する（ステップＳ８０１）。これにより、画像処理装置１００の省電力モードから通常電力モードへの復帰処理を開始する。
【０１０６】
次いで、センサ系モジュール２１の復帰制御信号を源とする電源制御部２１８によるメインコントローラ１０１の通常電力動作制御を行う（ステップＳ８０２）。
【０１０７】
具体的には、センサ部２３の接近の検知により信号処理部２２が通常電力モードに復帰するための制御信号である復帰制御信号を、インタフェース部１６を介してメインコントローラ１０１へと通知する。そして、復帰制御信号を受信したカードリーダインタフェース２２６は制御信号線２２３を介して、電源制御部２１８にタッチ動作の検知による通常電力モードへの復帰であることを通知する。復帰制御信号を受信した電源制御部２１８は、電力供給ライン２２１の電力供給が有効となるように、電力供給ライン２２２の電力供給が有効となるように制御する。さらに、電源制御部２１８は、ＲＡＭ２０２をセルフリフレッシュ動作から通常動作に移行させ、ＣＰＵ２０１は停止していたシステムプログラムの動作を再開する。
【０１０８】
次いで、ＣＰＵ２０１はカードリーダインタフェース２２６を介して、カードリーダ１０８のセンサ系モジュール２１の近接検知機能を無効化する（ステップＳ８０３）。
【０１０９】
そして、操作部１０２の液晶操作パネル１１にカード認証のためのタッチ動作を促す画面（図６参照）を表示し（ステップＳ８０４）、本処理を終了する。このステップＳ８０４により、画像処理装置１００は省電力モードから通常電力モードへと復帰し、ユーザ認証を待つ待機状態となる。
【０１１０】
上記ステップＳ８０１，８０２，８０３は、電力復帰制御手段に対応する。実際、省電力状態において、センサ系モジュール２１により、ＩＣカード２４が接近したことが検知されたときには（ステップＳ８０１）、以下の処理行われている。まず、通信系モジュール１７、及び主要回路要素２４０に電力を供給する通常電力状態に移行するように電源制御部２１８が供給する電力の供給先を制御する（ステップＳ８０２）。そして、センサ系モジュール２１への電力の供給を遮断するように電源制御部２１８が供給する電力の供給先を制御する（ステップＳ８０３）。
【０１１１】
このように、ユーザはタッチ動作のみで通常電力モードに復帰させることができるため、ユーザ認証を行う際に生じる煩わしさが軽減でき、その結果、従来技術と比較して、ＩＣカード２４を用いて認証するユーザの利便性を向上させることができる。
【０１１２】
また、上記ステップＳ８０４は、センサ系モジュール２１により、ＩＣカード２４が接近したことが検知されたときに、ＩＣカード２４を用いた認証動作を促す内容を表示するように液晶操作パネル１１を制御する表示制御手段に対応する。
【０１１３】
以上説明した通常電力モード復帰処理により、画像処理装置１００は、ユーザ認証のためのユーザのタッチ動作によって、画像処理装置１００の省電力モードから通常電力モードへの復帰処理が行われる。
【０１１４】
また、図８の通常電力モード復帰処理によって、画像処理装置１００がカードリーダ１０８のセンサ系モジュール２１の近接検知機能により、省電力モードから通常電力モードに復帰する。
【０１１５】
この通常電力モードへの復帰について、通常であれば、ユーザのＩＣカード２４のタッチ動作により画像処理装置１００が省電力モードから通常電力モードに復帰した場合は、その直後にユーザによるユーザ認証が行われることが想定される。
【０１１６】
しかし、必ずしもユーザ認証までなされないこともある。例えば、ユーザが画像処理装置１００を通常電力モードに復帰させたにも関わらず、ユーザ認証を行わずに立ち去る場合がある。または、センサ系モジュールが誤検知をして、画像処理装置１００が通常電力モードに復帰してしまう場合がある。
【０１１７】
このような場合では、省電力モードから通常電力モードに復帰したにも関わらず、画像処理装置１００は何も行わないため、通常電力モードでの待機時の消費電力が無駄になる。
【０１１８】
そこで、近接検知機能により通常電力モードに復帰した場合は、再び省電力モードに移行するまでの時間を通常の移行開始までの時間よりも短くする。これにより、通常電力モードにおける待機時の無駄な消費電力を低減することが可能となる。
【０１１９】
図９は、ＣＰＵ２０１により実行される省電力モード再移行開始処理の手順を示すフローチャートである。
【０１２０】
この図９は、画像処理装置１００がカードリーダ１０８のセンサ系モジュール２１の近接検知機能により、省電力モードから通常電力モードに復帰した後、再び省電力モードに移行する省電力モードへの再移行開始処理の一例を示している。
【０１２１】
また、このフローチャートは、ＲＯＭ２０３に格納されたプログラムに従って、メインコントローラ１０１のＣＰＵ２０１の処理によって実現される。また、この省電力モード再移行開始処理は、画像処理装置１００が省電力モードから通常電力モードへと復帰した直後の状態から開始される。すなわち、図８のステップＳ８０４の直後から開始される。
【０１２２】
図９において、近接検知機能による省電力モードからの復帰か否か判別する（ステップＳ９０１）。具体的には、ＣＰＵ２０１が画像処理装置１００の省電力モードから通常電力モードへの復帰要因として、電源制御部２１８が省電力動作群のどの部分から制御信号線２２３を介して復帰制御信号を受信したかを判別する。
【０１２３】
従って、受信した復帰制御信号が、カードリーダインタフェース２２６から受信した復帰制御信号のときは、ステップＳ９０１は肯定判別される。一方、受信した復帰制御信号が、カードリーダインタフェース２２６以外から受信した復帰制御信号のときは、ステップＳ９０１は否定判別される。
【０１２４】
ステップＳ９０１の判別の結果、近接検知機能による省電力モードからの復帰のときは（ステップＳ９０１でＹＥＳ）、近接検知機能による復帰時の省電力モード移行時間を設定し（ステップＳ９０３）、ステップＳ９０４に進む。
【０１２５】
この近接検知機能による復帰時の省電力モード移行時間は、Ｆｌａｓｈ２０４に予め記憶された設定値により定まる。この設定値は、例えば２０秒などを示す値である。
【０１２６】
一方、ステップＳ９０１の判別の結果、近接検知機能による省電力モードからの復帰ではないときは（ステップＳ９０１でＮＯ）、近接検知機能による復帰時とは異なる通常時の省電力モードへの移行時間を設定する（ステップＳ９０２）。
【０１２７】
この通常時の省電力モード移行時間は、Ｆｌａｓｈ２０４に予め記憶された設定値により定まる。この設定値は、例えば１０分などを示す値である。
【０１２８】
上記ステップＳ９０２、及びステップＳ９０３における省電力モード移行時間とは、画像処理装置１００が印刷などの動作をしなかったために、画像処理装置１００が消費電力を低減するために省電力モードへと移行するまでの時間を示す。
【０１２９】
なお、通常時の省電力モード移行時間は、復帰時の省電力モード移行時間より長い時間である。そして、Ｆｌａｓｈ２０４に予め記憶された設定値は、操作部１０２がユーザの入力を受けることによって任意の値に設定できるようにしてもよい。
【０１３０】
次いで、ステップＳ９０２、及びステップＳ９０３で設定された省電力モード移行時間に従って、省電力モード移行開始までのカウントを開始する（ステップＳ９０４）。
【０１３１】
そして、省電力モード移行開始までのカウントが終了すると（ステップＳ９０４でＹＥＳ）、画像処理装置１００の省電力モードへの移行を開始する。すなわち、図７のステップＳ７０１の処理に続くこととなる。
【０１３２】
図９によれば、ＩＣカード２４が接近したことが検知されたことによって通常電力状態に移行した場合は、ＩＣカード２４が接近したことが検知されたことによって通常電力状態に移行していない場合と比較して、短い時間で省電力状態に移行させる。
【０１３３】
以上説明した省電力モード再移行開始処理により、近接検知機能により通常電力モードに復帰した場合は、再び省電力モードに移行するまでの時間を通常の移行開始までの時間よりも短くすることができる。
【０１３４】
これにより、通常電力モードにおける待機時の無駄な電力の消費を低減することが可能となる。
【０１３５】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１３６】
１１  液晶操作パネル
１６  インタフェース部
１７  通信系モジュール
１８  通信制御部
１９  復調器
２０  アンテナ
２１  センサ系モジュール
２２  信号処理部
２３  センサ部
２４  ＩＣカード
１００  画像処理装置
１０１  メインコントローラ
１０２  操作部
１０８  カードリーダ
２０１  ＣＰＵ
２０２  ＲＡＭ
２０３  ＲＯＭ
２０４  Ｆｌａｓｈ
２１７  ＨＤＤ
２１８  電源制御部
２１９  電源装置
２２６  カードリーダインタフェース
２４０  主要回路要素
２５０  省電力動作群
【図１】
2013161409.tif 000003
【図２】
2013161409.tif 000004
【図３】
2013161409.tif 000005
【図４】
2013161409.tif 000006
【図５】
2013161409.tif 000007
【図６】
2013161409.tif 000008
【図７】
2013161409.tif 000009
【図８】
2013161409.tif 000010
【図９】
2013161409.tif 000011